(57)【要約】【課題】外力に強く、液晶表示装置と背面筐体との間に配置されたインバータなどの制御回路基板や液晶表示装置内にある部品を保護することが可能な表示装置構造を提供することを目的とする。【解決手段】背面筐体３の平面部３ａに、段差部３ｂや溝部３ｃを複数設け、かつ、段差部３ｂや溝部３ｃの間隔を従来に比べ狭くするとともに、そこに形成されるスペースに液晶表示装置１のインバータなどの制御回路基板４等を配置するようにした。段差部３ｂと溝部３ｃの間は間隔が狭いため、この間のスペースは特に強固となっている。この部分に外力を加えてもたわみはほとんど生じない。これにより、背面筐体３の強度が向上し、制御回路基板４に実装された加圧に弱い部品や液晶表示装置１内にある部品を保護することができる。【選択図】  図２
2004325844.tif 000002
【特許請求の範囲】
【請求項１】
前面に表示面を有する表示装置と、前記表示装置が収納される背面筐体とを備え、前記背面筐体は、略矩形状の平面部を有し、前記平面部には、前記略矩形状の少なくとも１辺と平行な溝または段差が複数設けられ、かつ、前記溝または段差の間隔が前記背面筐体の全幅に対し、１／５以下であることを特徴とする表示装置構造。
【請求項２】
溝または段差が背面筐体の左右対称の位置に設けられていることを特徴とする請求項１記載の表示装置構造。
【請求項３】
背面筐体の平面部に設けられる溝または段差の高さは、溝または段差の間隔の１／２０以上であることを特徴とする請求項１記載の表示装置構造。
【請求項４】
背面筐体の平面部に設けられる溝または段差の立上り部の傾斜は、前記平面部平面に対して４５〜９０°であることを特徴とする請求項１記載の表示装置構造。
【請求項５】
表示装置と背面筐体の間に表示装置を制御する制御回路基板を有し、前記制御回路基板は、溝または段差間に形成される空間に配置されていることを特徴とする請求項１記載の表示装置構造。
【請求項６】
制御回路基板は、発熱を伴う電子部品を実装した基板であることを特徴とする請求項５記載の表示装置構造。
【請求項７】
制御回路基板は、インバータ基板であることを特徴とする請求項５記載の表示装置構造。
【請求項８】
背面筐体は、金属成型品であることを特徴とする請求項５記載の表示装置構造。
【請求項９】
背面筐体をマグネシウム合金としたことを特徴とする請求項１記載の表示装置構造。
【発明の詳細な説明】
【０００１】
【発明の属する技術分野】
本発明は、携帯型情報処理装置などの平板状表示装置を有する電子機器の表示装置構造に関するものである。
【０００２】
【従来の技術】
近年、液晶表示装置などの平板状表示装置を有するノートパソコンのような携帯型情報処理装置において、その携帯性を高めるため、装置自体の薄型・軽量化が進んでいる。一方では、機械的強度の向上も要求されている。特に液晶表示装置などは衝撃を受けた場合に破損しやすいため、液晶表示装置が収納される背面筐体に強度が要求される。このため、背面筐体の軽量化と強度を両立させるための構造が工夫されている。
【０００３】
図４は、従来の表示装置構造の外観を示す斜視図、図５は、その断面図である。図において、２１は液晶表示装置、２２は液晶表示装置２１の表示面側筐体、２３は液晶表示装置２１の背面筐体、２４は、液晶表示装置２１のバックライトのためのインバータなどの制御回路基板である。背面筐体２３は、平面部２３ａに段差部２３ｃを設け、平面部２３ａの中央部を凸状に隆起させている。そして、インバータなどの制御回路基板はそこに配置収納される。
【０００４】
上記構成とすることにより、背面筐体２３の基本肉厚を薄くした場合でも、外力に対しての耐久力を向上させ、軽量化を図ることができる。
【０００５】
なお、背面筐体の形状を工夫した特許文献としては下記のものがある。
【０００６】
【特許文献１】
特開２０００−３１１０３４号公報
【０００７】
【発明が解決しようとする課題】
このような上記従来の表示装置構造においては、下記に挙げる課題があった。
【０００８】
（１）平面部に段差を設けることにより、背面筐体の強度は増加しているが、薄肉化・軽量化といった観点から、今後は、ますます強度が低下していく方向にあるため、さらなる強度アップが必要である。
【０００９】
（２）背面筐体全体としての強度は確保されるが、段差間が広く、背面筐体の中央部が外力によって押圧された場合、背面筐体が内側にたわむという現象が生じる。これによって、中央部に配置された制御回路基板等を加圧し、これらが液晶表示装置へ荷重を加えてしまうことになる。インバータなどの制御回路基板にはトランス・コイルなど、加圧により壊れてしまう部品が実装されており、この際に、これらの部品の破壊等とあわせて、液晶表示装置内にある部品同士の摩擦を引き起こし、部品を損傷させてしまうことになる。
【００１０】
本発明は、外力に強く、液晶表示装置と背面筐体との間に配置されたインバータなどの制御回路基板や液晶表示装置内にある部品を保護することが可能な表示装置構造を提供することを目的とする。
【００１１】
【課題を解決するための手段】
この課題を解決するために本発明の表示装置構造は、背面筐体の平面部に、溝または段差を複数設け、かつ、溝または段差の間隔を従来に比べ狭くするとともに、そこに形成される空間に表示装置の制御回路基板等を配置するようにしたものである。
【００１２】
これにより、背面筐体の強度を向上させ、インバータなどの制御回路基板に実装された加圧に弱い部品や、液晶表示装置内にある部品を保護することができる。
【００１３】
【発明の実施の形態】
本発明の請求項１に記載の発明は、前面に表示面を有する表示装置と、前記表示装置が収納される背面筐体とを備え、背面筐体は、略矩形状の平面部を有し、前記平面部には、前記略矩形状の少なくとも１辺と平行な溝または段差が複数設けられ、かつ、前記溝または段差の間隔が前記背面筐体の全幅に対し、１／５以下であることを特徴とする表示装置構造であり、溝または段差の間隔を狭くすることによって背面筐体の強度を大きくできるという作用を有する。
【００１４】
請求項２に記載の発明は、請求項１記載の表示装置構造において、溝または段差が背面筐体の左右対称の位置に設けられていることを特徴とするもので、背面筐体にねじれなどの応力が生じにくい。
【００１５】
請求項３に記載の発明は、請求項１記載の表示装置構造において、背面筐体の平面部に設けられる溝または段差の高さは、溝または段差の間隔の１／２０以上であることを特徴とするもので、背面筐体の強度を大きくすることができる。
【００１６】
請求項４に記載の発明は、請求項１記載の表示装置構造において、背面筐体の平面部に設けられる溝または段差の立上り部の傾斜は、前記平面部平面に対して４５〜９０°であることを特徴とするもので、筐体の強度と成形性を両立させることができる。
【００１７】
請求項５に記載の発明は、請求項１記載の表示装置構造において、表示装置と背面筐体の間に表示装置を制御する制御回路基板を有し、前記制御回路基板は、溝または段差間に形成される空間に配置されていることを特徴とし背面筐体のたわみが少なく、制御回路基板の保護とともに、表示装置内にある部品も保護することができるという作用を有する。
【００１８】
請求項６に記載の発明は、請求項５記載の表示装置構造において、制御回路基板は、発熱を伴う電子部品を実装した基板であることを特徴とするもので、溝または段差間に配置されるため、表示装置への熱の影響を少なくすることができ、かつ、溝または段差の立上り部が近接しているため、外部への放熱を大きくすることができる。
【００１９】
請求項７に記載の発明は、請求項５記載の表示装置構造において、制御回路基板は、インバータ基板であることを特徴とするもので、加圧に弱い部品が実装されているインバータ基板を保護することができる。
【００２０】
請求項８に記載の発明は、請求項５記載の表示装置構造において、金属成型品であることを特徴とするもので、制御回路基板からの放熱をより大きくすることができる。
【００２１】
請求項９に記載の発明は、請求項１記載の表示装置構造において、背面筐体をマグネシウム合金としたことを特徴とするもので、軽量化、高強度化を図ることができる。
【００２２】
以下に、本発明の実施の形態を図１から図３を用いて説明する。
【００２３】
（実施の形態１）
図１は、本発明の一実施の形態の表示装置構造の外観を示す斜視図、図２は、断面図、図３は、分解した状態を示す斜視図である。図において、１は液晶表示装置、２は液晶表示装置１の表示面側筐体で液晶表示面部分は開口となっている。３は液晶表示装置１の背面にある、外力から液晶表示装置１等を保護するための背面筐体、４は、液晶表示装置１のバックライトのためのＦＬ管（図示せず）へ電流を供給させるインバータなどの制御回路基板である。
【００２４】
背面筐体３は、軽量化と強度の面からマグネシウム合金の成形品が使用され、略矩形状をしており、平面部３ａに側面と平行な段差部３ｂの他、溝部３ｃがそれぞれ左右対称の位置に設けられている。段差部３ｂと溝部３ｃの間隔は、内部に収納する部品の寸法を考慮するが、背面筐体３の幅の１／５以下にし、また、段差は上記間隔の１／２０以上とることが強度上望ましい。また、段差部３ｂおよび溝部３ｃの立上り部の３ｄ、３ｅの傾斜は、平面部３ａの平面に対して４５〜９０°が成形性と強度の面で望ましい。最適な数値は、表示装置構造が求められる、全体の大きさ、厚み、重量、強度の面等から決定される。
【００２５】
そして、インバータなどの制御回路基板４は段差部３ｂと溝部３ｃの立上り部の３ｄ、３ｅによって背面筐体３の内側に形成されるスペースに配置収納される。
【００２６】
以上のように構成された表示装置構造について説明する。
【００２７】
背面筐体３は、段差部３ｂに加え溝部３ｃを設けたため、面強度は従来に比べ大幅にアップしている。特に、段差部３ｂと溝部３ｃの間は間隔が狭いため、この間のスペースは特に強固となっている。この部分に外力を加えてもたわみはほとんど生じない。このため、本部分に、加圧に弱い部品を実装しているインバータなどの制御回路基板４等を配置することにより、制御回路基板４等が加圧され変形して液晶表示装置１に荷重が加わるということがなく、制御回路基板４自身に実装された加圧に弱い部品や、表示装置１内の部品に破壊・キズ等を発生させることもない。
【００２８】
また、インバータなどの制御回路基板４に実装された部品は、発熱を伴うが、段差部３ｂと溝部３ｃの立上り部の３ｄ、３ｅによって形成されたスペース内に収納されるため、液晶表示装置１への熱の影響を少なくすることができ、かつ、立上り部３ｄ、３ｅが制御回路基板４に近接しているため、外部への放熱を大きくすることができる。
【００２９】
また、段差部３ｂおよび溝部３ｃが背面筐体３の左右対称の位置に設けられているため、背面筐体３にねじれなどの応力が生じにくい。
【００３０】
【発明の効果】
以上のように本発明によれば、より薄肉化・軽量化を狙っていく際に、課題となる背面筐体の強度について、形状により強度低下を防いで、より強い構造とし、加圧に弱い部品が実装された制御回路基板や表示装置内にある部品に荷重が加わることを防ぎ、保護することができるという有利な効果が得られる。
【図面の簡単な説明】
【図１】本発明の一実施の形態の表示装置構造の外観を示す斜視図
【図２】本発明の一実施の形態の表示装置構造の断面図
【図３】本発明の一実施の形態の表示装置構造の分解状態を示す斜視図
【図４】従来の表示装置構造の外観を示す斜視図
【図５】従来の表示装置構造を示す断面図
【符号の説明】
１  液晶表示装置
２  表示面側筐体
３  背面筐体
３ａ  平面部
３ｂ  段差部
３ｃ  溝部
３ｄ、３ｅ  立上り部
４  制御回路基板
【図１】
2004325844.tif 000003
【図２】
2004325844.tif 000004
【図３】
2004325844.tif 000005
【図４】
2004325844.tif 000006
【図５】
2004325844.tif 000007